(57)【要約】【課題】ボールやローラの転動体をメモ用紙等の押圧挟持部材とする用紙挟持具において、特に、挟持紙の下方へのワンタッチ抜取り操作の実現を課題とする。【解決手段】本発明を適用した用紙挟持具の好ましい実施態様としては、筐体に敷設された人工芝上にゴルフボールを回動自在に軸支し、前記ゴルフボールの周縁部を所定圧力で前記人工芝に圧接形成するとともに、該圧接部に用紙を挿入挟持する構成の用紙挟持具に係る。  更に、前記圧接部への挟持紙の挿入時には、ゴルフボールが回動されて挟持紙が円滑に挿入されるが、挟持紙からの抜取り時は、ゴルフボール表面に加工されているディンプルと係合してゴルフボールが逆転衝止されるストッパーを備えており、挟持紙が安定に挟持保持される構成として課題解消を図った用紙挟持具である。【選択図】    図４
2006076006.tif 000002
【特許請求の範囲】
【請求項１】
筐体と、前記筐体に回動自在に軸支されたボールやローラの転動体と、前記筐体に敷設されたクッション部材とを備えて構成され、
前記転動体の周縁部が前記クッション部材に対して圧接態様とされた圧接部が形成され、該圧接部への挟持紙の挿入に伴って前記転動体が少なくとも挿入方向に回動され、前記挟持紙が前記圧接部に押圧挟持されるように構成されたことを特徴とする用紙挟持具。
【請求項２】
前記回動自在に軸支された前記転動体は、前記挟持紙の挿入に伴って少なくとも挿入方向に回動される一方、
前記押圧挟持された挟持紙抜取り時の逆転方向に対しては、前記転動体が回動衝止されるストッパーを備えて構成されたことを特徴とする請求項１に記載の用紙挟持具。
【請求項３】
前記転動体がゴルフボールであり、更に、前記クッション部材として人工芝を用いて構成されたことを特徴とする請求項１乃至請求項２のいずれか一つに記載の用紙挟持具。
【発明の詳細な説明】
【技術分野】
【０００１】
本発明は、メモ用紙や書類等を一時的に挟持保持するためのボールやローラの転動体を用いたワンタッチ着脱式の用紙挟持具に関する。
【背景技術】
【０００２】
メモ用紙等（本特許願では、挟持前の用紙をメモ用紙等と称し、挟持後の用紙を挟持紙と称して説明することもある）や書類等を一時的に挟持保持する保持具として、古くから、マグネット、鋲及びバネ式クリップ等の保持具が用いられていることは周知の通りである。
そして、挟持紙をボールやローラの転動体で押圧挟持するようにした紙挟み具の構成に関して本発明と係りのある公知技術としては、例えば、ボールを用いたクリップとして文献１（特許文献１）が開示されている。また、ローラを用いて用紙を押圧挟持するようにした構成技術が、例えば、文献２（特許文献２）に開示されている。
更に、前記公知技術における挟持紙抜取り時の課題を改善し、転動体で用紙を押圧挟持するようにした用紙挟持構成が文献３（特許文献３）によって開示されている。
【特許文献１】特公昭５９−４４２３６号公報
【特許文献２】実公昭４３−６４１９号公報
【特許文献３】特開２００４−１６０９５３号公報
【発明の開示】
【発明が解決しようとする課題】
【０００３】
先ず、前記マグネットやバネ式クリップの用紙保持具は、片手によるワンタッチ操作では挟持紙が着脱出来ない不便さや、複数枚の挟持紙から一枚目を抜取った際に他の残紙も一挙に抜け落ちてしまう不便課題がある。
一方、本特許願の構成内容と係りのある前記開示技術に関し、ボール（球体）やローラ（円筒、丸棒）の所謂転動体で用紙を押圧挟持するように構成された紙挟み具の公知技術における前記特許文献からの構成要部の図面を図８以降に示し、該引用図面を参照しつつ紙挟み機能や本発明と公知技術の構成差異に基づく転動体の作動状況の違いについて以下に説明する。
【０００４】
図８は、前記特許文献１の特公昭５９−４４２３６号公報から引用した斜視図である。  この開示技術では、図示のように取付板１０１と斜板１０３でポケット１０２と称する傾斜面を形成し、直径を異にした複数個のボール２を縦方向に挿入して紙挟み具１００を構成している。
この紙挟み具では、下矢印Ａ方向から挿入されたメモ用紙等１７は傾斜面に挿入されたボール２によって取付板１０１に強く押圧挟持されることになるが、該挟持態様から挟持紙１７を下方Ａ方向に抜取るべく強く引張った場合は、ボール２の喰い込みによる楔効果で挟持紙端が完全に破けてしまう欠点がある。
【０００５】
そこで、本公知技術の紙挟み具１００では挟持した挟持紙１７を図８に示すように横Ｂ方向に抜取るように操作制限して課題解決を図る構成が開示されている。因みに、本公知技術と同じ構成に基づく紙挟み具１００は既に製品化がなされている。
また、図８の紙挟み具１００においては図示のように複数枚のメモ用紙等１７を挟持した態様から一枚目を横方向に引抜いた際、残紙が一緒に引き摺られて一挙に抜け落ちる課題があり、従って、予め複数枚を挟持する必要のある場合には、その都度、挟持紙１７を挿入し直す操作を必要とする不便課題がある。
【０００６】
次に、図９は前記特許文献２の実開昭４３−６４１９号公報に記載されている紙挟み具１０４の平面図と断面図を引用して示した図である。
本紙挟み具１０４では、主盤１０５に対向形成された傾斜面１０６にローラを設けて挟持紙１７を押圧挟持するように構成している。それらの開示技術のように傾斜面に転動体の押圧挟持部材を配設した紙挟み具の構成では、転動体がボールまたはローラの何れであっても押圧挟持部材としての作用効果は、ほぼ同様である。従って、この公知技術も断面図に図示するように矢印の下方向から挿入された挟持紙１７はローラ１８の喰い込み方向に作用する重力分散ベクトルによって、主盤面に強く押圧挟持される。
即ち、前記挟持態様から挟持紙１７を下方に抜取るべく強く引張った場合は、前記ボール２による構成の場合と同様に挟持紙１７は完全に破けてしまうことになる。
【０００７】
そこで、図９における開示技術の紙挟み具１０４では、該挟持紙抜取り時の課題を解消するため、図９に示すように傾斜面１０６を備えた表面パネルに指かけ切欠１０７部を設けて抜取り時にローラ１８を指先で、一旦、上方向に遊動してから挟持紙１７を抜取るように構成している。
なお、この図９の開示技術におけるローラ１８を用いた紙挟み具１０４においても、前記図８の開示技術構成と同様に、挟持紙１７は横方向への抜取りが可能である。
【０００８】
さて、図１０に引用した前記特許文献３の特開２００４−１６０９５３号公報は、実は本出願人と同一人による発明の紙挟み具１０８に係り、前記傾斜部１１１に配設したボールやローラの転動体１１２で用紙を押圧挟持する構成と関連して、特に、挟持紙抜取り時の不便課題を一掃し得るようにした発明の紙挟み具１０８の構成である。
即ち、この紙挟み具１０８では図示のように挟持紙１７を背面側から表面パネル１０９側に転動体１１２で押圧挟持し、且つ、挟持紙を上矢印方向に抜取る構成としたことで、図１０に示すように複数Ｎ枚の挟持態様から、表面パネル１０９に接した一枚ずつを、残紙を落下させることなく順次上方向へ抜取り得るように構成して、前記開示技術における技術課題の解消を図り得た紙挟み具１０８である。
【０００９】
従って、本開示技術を適用して、例えば、原稿ホルダーを構成した場合には、予め、複数枚の原稿挟持態様から入力済みの一枚ずつが順次に抜取れるので、キーボードからの入力作業が効率的に行える原稿ホルダーを構成し得る。
しかし、この開示技術では挟持紙を上方向に抜取る構成のため、挟持紙の幅サイズよりも紙挟み具１０８の幅寸法を広めに構成する必要があり、コンパクト性が要求される所謂、メモクリップ用としての構成には適さない。
【００１０】
そこで、本発明では前記開示技術における前記各課題に鑑み、転動体を用紙押圧部材として構成する用紙挟持具における、特に、挟持紙抜取り時の前記課題に対し、挟持紙が挿入された下方向へ片手ワンタッチ操作で抜き取れるように、前記重要課題を解消するとともに、予め、複数枚の挟持態様から表の一枚ずつを抜取った場合にも残紙が落下しない用紙挟持具の提供を目的とする。
【課題を解決するための手段】
【００１１】
前記課題を解決するために、本発明の用紙挟持具は次のように構成される。
第１発明の用紙挟持具は、筐体と、該筐体に回動自在に軸支されたボールやローラの転動体と、前記筐体に敷設されたクッション部材とを備えて構成され、
前記転動体の周縁部が前記クッション部材に対して圧接態様とされた圧接部が形成され、該圧接部への挟持紙の挿入に伴って前記転動体が少なくとも挿入方向に回動され、前記挟持紙が前記圧接部に押圧挟持されるように構成されたことを特徴とする用紙挟持具である。
【００１２】
第２発明の用紙挟持具は、前記第１発明の用紙挟持具において、
前記回動自在に軸支された前記転動体は、前記挟持紙の挿入に伴って少なくとも挿入方向に回動される一方、
前記押圧挟持された挟持紙抜取り時の逆転方向に対しては、前記転動体が回動衝止されるストッパーを備えて構成されたことを特徴とする用紙挟持具である。
【００１３】
第３発明の用紙挟持具は、前記第１乃至第２発明の用紙挟持具において、
前記転動体がゴルフボールであり、更に、前記クッション部材として人工芝を用いて構成されたことを特徴とする用紙挟持具である。
【発明の効果】
【００１４】
本発明は、クッション部材が敷設された筐体に回動自在に軸支されたボールやローラの転動体でメモ用紙等を押圧挟持する構成の用紙挟持具であって、以下に列記する効果や特徴がある。
本発明に係る第１実施例の用紙挟持具によれば、ボールやローラの転動体を回動自在に軸支構成するとともに、筐体に敷設された例えば人工芝のクッション部材に対して、前記転動体の周縁部が所定の接触圧力で圧接されて圧接部が形成され、該圧接部へのメモ用紙等の着脱操作に伴って前記転動体が正逆双方向に回動される構成からなり、
用紙挿入及び該抜取り操作が同一下方向に対して片手のワンタッチ操作で行い得、従来の転動体を用いた用紙挟持具における、特に、挟持紙抜取り時の課題が良好に解消し得る。
【００１５】
本発明に係る第２実施例の用紙挟持具によれば、前記第１実施例に係る用紙挟持具の構成に対し、更に、挟持紙からの抜取りに伴う転動体の逆転方向に対しては、転動体が逆転衝止される逆転防止用のストッパーを備えた構成により、
例えば、予め２０枚余の重量のあるコピー用紙（Ａ４）を挟持した態様とした場合にも、該挟持紙からの抜取りに伴って残紙が落下したり、振動や衝撃で挟持紙が抜け落ちることなく、挟持紙が安定に挟持保持される効果を奏する。
【００１６】
そして、前記各実施例の押圧挟持部材としてゴルフボールを用いるとともに、クッション部材として、所謂、人工芝を筐体に敷設して用いて構成実施すると好適である。
即ち、ゴルフボール表面部に形成されているディンプルと称する円形のくぼみ部分が人工芝のパイル素材の弾力と効果的に作用して、挟持紙着脱時の摺動摩擦抵抗を高めるとともに、前記ゴルフボールのディンプルがストッパー先端と係合されて、ボールの回動を逆転衝止する構成として作用効果を発揮する。
即ち、押圧挟持部材にゴルフボールを用いた場合は、簡単な構成で逆転防止用ストッパーを備えることができ、前記各構成要素の相乗効果が相まって挟持紙機能に優れたユニークな用紙挟持具が実現可能となる。
【発明を実施するための最良の形態】
【００１７】
本明細書では、発明の構成を理解し易くするために同一構成、同一作用をする要素部分には同一の名称及び同一の符号を付して以下図面を参照しつつ説明する。
先ず、本発明の最良の実施形態として図１に示す押圧挟持部材のボール２としては、図示のようにゴルフボール２を用い、更に、クッション部材９の具体的実施例としては、所謂、人工芝９を筐体６に敷設して用いた構成により好適に所期目的が達成される。
そこで、本発明の主要な構成部品であり構成要素をなすゴルフボール２と人工芝９について、先ず、概要を参考記載する。
【００１８】
最初に、ゴルフボールの公認球における規格等の一部について転記する。
図１（ａ）に外観を示し、図１（ｂ）に内部構造を例示するゴルフボール２は、因みに、直径：４２．６７ｍｍ（１．６８インチ）以上、重さ：４５.９３ｇ（１.６２オンス）以下等と公認球としての規格が規定されている。
そして、図１（ｂ）に断面構造例を示すゴルフボール２の構造には、ツーピース型の２重構造やスリーピース型の３重構造及び糸巻きボール等の種類がある。図１（ｂ）の構造例は、センター（芯）１１部に糸ゴム１２を巻付け、表面にカバー１３を被覆した３層構造型を例示しており、本発明ではボール２に回動穴４を加工して用いている。
【００１９】
また、ゴルフボールは空気抵抗を抑えて飛距離を伸ばす等の目的から、表面部には、図１（ａ）に図示するようなディンプル３〔図４（ｃ）参照〕と称する多数の円形のくぼみが加工形成されている。そして、該ディンプル３の配列には８面体、１２面体、２０面体等があってディンプル３の大きさにも大小がある。
本発明の押圧挟持部材にゴルフボール２を用いた場合、後述の第２実施例の逆転防止構成と関連して、特に、該ディンプル３のくぼみ部分がストッパーと係合し、衝止機能を果すのに効果的に作用する。
【００２０】
次に、本発明の構成要素一つであるクッション部材に関し、筐体６に敷設して用いる人工芝９について記述する。
本発明の用紙挟持具１の筐体６の表面６ａに敷設するクッション部材としては、スポンジ素材等の弾発部材やゴム素材をヒゲ状に形成したものを敷設して用いることもできるが、近年、テニスコートやサッカー場、ゴルフマット等の敷設用として普及しているナイロン素材や、耐候性ポリプロピレン（ＰＰ）素材等をＰＰやエステル基布上に植毛状として、パイル長が７ｍｍ前後に加工された、所謂、人工芝をクッション部材として敷設すると好適である。
即ち、植毛状に加工されたパイル素材の弾力や摺動摩擦抵抗が用紙挟持機能を高め、挟持紙抜取り時の摺動抵抗や静摩擦力が効果的に作用し、人工芝がクッション部材として適材適所である。
そして、ゴルフボール２と人工芝９との組合せは、意匠的に見栄えが良く、商品性やユニーク性が高められる（例えば、図４、図６参照）。
【実施例１】
【００２１】
さて、図１は本発明の第１実施例に係る用紙挟持具１を示す図である。
図１（ａ）は外観斜視図、図１（ｂ）は図１（ａ）におけるＡ−Ａ線での断面図、図１（ｃ）は第１実施例の各構成部品及び組立て状況を示し、図１（ｄ）はボール２を押圧挟持部材としたボール組立体２ａの他の実施例態様を各々示している。
以下、図１（ａ）〜図１（ｄ）の各図を同時参照しつつ、図面に基づいて構成部品と組立て状況から順次説明する。図１（ｃ）は用紙挟持具１を構成する筐体６を中央に配設した各構成部品の組立て対応関係を示している。本実施例における筐体６は背面７に圧入穴８を設けたのみの単純な基板であり、プラスチック素材で成形加工することは勿論、例えば、ベニヤ板等の木材で加工して用いてもよい。
【００２２】
次に、第１実施例に係る用紙挟持具１の組立て方法を図１（ｂ）に基づいて説明する。  前記したクッション部材としての人工芝９における裏面の基布側９ａに両面粘着テープを貼着するか、接着剤を塗布して筐体６の表面６ａに人工芝９を敷設し、更に、筐体６の裏面６ｂにはシート状のマグネット１０の貼着面１０ａを同様に貼着する。
一方、ゴルフボール２（以下の説明では、ゴルフボールのことを単にボールと称して説明することもある）に回動穴４として、例えば、穴径：φ３.５ｍｍを貫通加工（図６参照）し、該回動穴４に支持軸５として、例えば、φ３のＡＬ製棒を図示のように９０°に折り返して曲げ加工し、支持軸５に回動自在に軸支したボール組立体２ａを用意する。
図１（ｃ）に示すように、支持軸５が加工されたボール組立体２ａの両支持軸５を筐体６の両圧入穴８に接着剤を塗布して圧入固着し、組立られた態様が図１（ａ）に示す用紙挟持具１である。
即ち、図２とともに後述するようにメモ用紙等１７を着脱方向１４に摺動させる操作に伴い、ボール２が矢印双方向に回動１５される構成としたのが第１実施例の態様である。
【００２３】
なお、筐体６に加工された圧入穴８は所定高さで所定傾斜角を有して穴加工してあり、ボール組立体２ａの支持軸５を圧入穴８に挿着した際に、支持軸５に回動自在軸支されたボール２の周縁部が、図１（ｂ）の断面図に示すように、人工芝の植毛状パイルに対して本実施形態では、略１ｍｍの深さ人工芝９のパイル素材に練り込んだ態様で圧接部２９が形成される態様に予め設定してある。
また、図１（ｄ）は、例えば、２個のボール２ａ、２ｂを支持軸５に串挿し状としたボール組立体２ａによる押圧挟持部材の変形例であり、この構成では支持軸５に対してボール２を固着して軸毎回動するように構成してもよい。
【００２４】
図２は、本発明第１実施例に係る用紙挟持具１の使用態様を示す側面図である。
そして、図２（ａ）、図２（ｂ）の使用態様は用紙挟持具１の裏面に設けた前記マグネット１０、または、粘着テープ１０を用いて冷蔵庫、ボード（壁面、車のダッシュボード）１６に取付けした使用態様の側面図を示している。
図２（ａ）は、前記のように取付された用紙挟持具１に対してメモ用紙等１７を右手で挿入方向１４ａに挿入挟持しょうとする態様を示している。この場合、図１とともに前記した構成内容により支持軸５で回動軸支されたボール２周縁部が、人工芝に所定圧接力で形成された圧接部２９にメモ用紙等１７を挿入することに伴って、ボール２が矢印の回動方向１５ａに回動されてメモ用紙等１７が円滑に挿入挟持される。
【００２５】
次に、図２（ｂ）は第１実施例における挟持紙１７抜取りの態様を示している。本実施例の構成では、挟持紙１７抜取りに伴う摺動摩擦力によってボール２は、当然、矢印１５ｂの逆転方向に回動されて挟持紙１７が抜取られる。
ところで、この第１実施例で構成された用紙挟持具１に、予め、複数枚の挟持紙１７挟持態様から表の一枚目１７ａを抜取る態様を示したのが図１（ｂ）である。多くの試作実験では、この場合、例えば、挟持紙１７として３枚位のＡ４サイズを挟持した態様から、一枚目１７ａを抜取った場合は、残紙１７ｂが引き摺られて一緒に落下することは殆どないが、予め、１０枚以上と多めの挟持紙１７を挟持した態様から、一枚目を抜取った際は残紙１７ｂが一緒に抜け落ちたり、挟持紙１７の重みや振動衝撃等で自然落下したりする課題がある。
しかし、メモ用紙等１７がＡ６〜Ｂ８等の小サイズであったり、伝票類や領収書類であったり、更に、数枚以下のＡ４サイズを挟持態様からは速やかに、一気抜取りする場合、ボール２の慣性作用でボールは逆転回動されないので、前記第１実施例の用紙挟持具１を用いた場合にも、挟持紙１７からの抜取り時の抜け落ち課題は防止されて発明の目的は達成される。
【００２６】
図３に本発明の第１実施例に係る用紙挟持具１の他の実施例を示す。
図３（ａ）は他の第１実施例の外観斜視図を示し、図３（ｂ）は筐体６を中央に配設した構成部品と組立ての対応状況を示している。この第１実施例は用紙の押圧挟持部材にローラ１８を用いて用紙挟持具１を構成した実施態様であり、更に、本実施例では筐体６におけるローラ１８の支軸アーム部２０と軸支穴２１を備えて、筐体６全体を樹脂素材で一体に成形加工した実施例の態様を示している。
図３（ｂ）において、筐体６の表面６ａや裏面６ｂに対する人工芝９やマグネット１０貼着は、前記実施例と同様に行うことができる。また、本実施例に用いるローラ１８は回動軸１９付として支持軸を備えた形態により、樹脂素材で内部を空洞状に加工して用いてもよい。そして、両側に突出状とされた支持軸用の回動軸１９を筐体６のアーム部２０に設けられた軸支穴２１への軸着組立は、アーム部２０を矢印２２ａ、２２ｂの両側に若干開いた状態で軸着すればよく、該軸支穴２１にローラ１８の回動軸１９を軸着設定される寸法関係に各構成部品が設計加工されている。
なお、ローラ１８を押圧挟持部材とした実施例においても人工芝９に対する設定条件等を前記ボール２における実施例と同様な設定条件として同等な挟持効果が得られる。
【００２７】
ところで、前記第１実施例の課題に関しては図２の使用態様とともに説明記述した通り、第１実施例で構成された用紙挟持具１に、１０枚余のＡ４サイズによる挟持紙１７の挟持態様からの一枚目の抜取り時や、振動や衝撃を加えた場合に挟持紙の重量によって、挟持紙が抜け落ちる等、挟持態様が不安定になる課題が残されていた。
従って、前記第１実施例における前記挟持機能を更に改善し、特に、多数枚の重い挟持紙を安定に挟持保持し得るように課題解消を図った構成の実施態様が以下に記載する第２実施例である。
また、以上の第１実施例に係る用紙挟持具１の詳細説明によって本発明の構成内容の要部は充分明らかに理解し得たものと思われる。従って、以下に示す第２実施例の前記と同一構成部分に関しては重複説明を省略し、前記以外の構成要点を簡潔に説明する。
【実施例２】
【００２８】
図４は、本発明の第２実施例に係る用紙挟持具１を示す図である。
さて、ボールやローラの転動体を回動軸支して押圧挟持部材とした本発明に係る第１実施例の用紙挟持具１において、挟持紙の重量増加に伴って挟持態様が不安定になる原因について検討を行った。
その結果として、前記図２（ｂ）に示すように比較的重量のある挟持紙１７の挟持態様から、一枚目１７ａを抜取った際に二枚目以降の残紙が一緒に引き摺られたり、挟持紙１７の重みや振動等で落下されてしまう現象は、ボール２の逆転回動に伴って押圧挟持力が消滅されてしまうことに起因していることが実証された。従って、本課題は挟持紙１７からの抜取り時に、ボール２を逆転防止するストッパーを備える構成で確実に課題解消されることが試作実験で立証された。
即ち、図４以降に示す本発明に係る用紙挟持具１は、前記第１実施例構成の転動体にストッパー機構を係合させて逆転防止する構成とし、前記第１実施例の課題の一掃を図ったのが第２実施例態様である。
【００２９】
図４の本発明に係る第２実施例は、ボール２を押圧挟持部材とした用紙挟持具１に関し、前記図１を参照して詳細に説明した第１実施例の構成にストッパー２３を追加して構成した実施例である。そこで、以下に記載する第２実施例ではストッパー２３機構の要点を主に説明する。
図４（ａ）は、ボール２を押圧挟持部材としたストッパー２３付き用紙挟持具１の第２実施例の外観斜視図、図４（ｂ）は図４（ａ）におけるＡ−Ａ線での断面図、図４（ｃ）はボール２における円形ディンプル３とストッパー２３の係合衝止における関係の拡大図、図４（ｄ）は第２実施例の構成部品と組立ての関係に関して筐体６を中央に配置して示し、図４（ｅ）はストッパー２３の他の実施例を示している。
【００３０】
因みに、図４（ａ）〜図４（ｄ）に示すストッパー２３素材は、ＳＵＳ：０．２ｍｍのバネ鋼材（３０４）を幅：３ｍｍに切断した薄板である。該ストッパー２３の薄板バネは、図４（ｄ）に示す筐体６背面７に略２８°の角度で傾斜加工されたストッパー穴２５に挿着後、図４（ａ）のように背面７の固着部分２６で固着されている。
また、用紙挟持具１に組立られたストッパー２３は、図４（ａ）〜図４（ｃ）に図示するように先端部がボール２の表面周縁部に所定の傾斜角で圧接される。
そして、図５に使用態様として後述するように挟持紙を抜取り方向に引張って、ボール２を逆転方向１５ｂに回動しようとした際は、図４（ｃ）に拡大して示す前記したボール２表面のディンプル３（くぼみ）にストッパー２３先端部が突き刺さるように作用し、ボール２は逆転衝止２４されて確実に逆転防止される。
なお、ストッパー２３の他の構成方法としては、図４（ｅ）に示すように背面７にストッパー２３が遊動保持される保持穴３０を設け、該保持穴３０から適宜遊びガタを有して抜け落ち防止された棒状部材でストッパー２３機構を構成することもできる。
【００３１】
さて、図５は前記ストッパー２３付きの第２実施例の用紙挟持具１に係る使用態様に関し、メモ用紙等１７の着脱時の側面図を示している。
図５（ａ）はメモ用紙等１７の挿入状況を示しており、図２を参照に前記した第１実施例と同様にボール２が矢印方向１５ａに回動されてメモ用紙等１７が円滑に挟持される。
図５（ｂ）は、前記ストッパー２３付き用紙挟持具１への挟持紙１７挟持態様からの抜取り時の状況を示している。即ち、該挟持紙１７を矢印の抜取り方向１４ｂに引張った際に前記第１実施例の図２（ｂ）ではボール２が矢印の回動方向１５ｂに回動された。しかし、本第２実施例ではストッパー２３の作用により、該先端部が前記図４（ｃ）とともに説明したボール２のディンプル３に係合されてボール２が逆転衝止２４される。
【００３２】
従って、本発明の用紙挟持具１を逆転防止用のストッパー２３付き構成とした場合は、
図５（ｂ）に示すように多数枚のメモ用紙等１７を予め挟持した態様から、一枚目１７ａの挟持紙を抜取った場合にも押圧挟持部材が回動されることなく、二枚目以降の残紙１７ｂは、なお、ボール２周縁部の強い押圧力によって弾力のある人工芝のパイル素材に押圧されて、残紙１７ｂは圧接部２９の静摩擦抵抗で保持されるので抜け落ち防止される。
そして、用紙挟持具１を逆転防止用のストッパー２３付き構成として実施した場合は、用紙挟持具１に２０枚余（Ａサイズ）のメモ用紙等１７を挟持保持して、自動車のダッシュボード等に取付けて振動衝撃を加えても挟持紙が不安定になって落下する恐れはないことがテスト確認されている。
【００３３】
次に、図６はストッパー付きとした第２実施例に係る用紙挟持具１の他の実施例である。
この第２実施例では押圧挟持部材にボール２を用いるとともに、図６に示すようにストッパー２３を含めて筐体６全体を樹脂素材で一体的に金型成形加工した第２実施例である。外観斜視図を図６（ａ）に、組立られた筐体６とボール２単体を図６（ｂ）に夫々示す。  組立方法は、図６（ｂ）のように人工芝９やマグネット１０が貼着された筐体６に対して、アーム部２０の先端を矢印のボール軸着開き方向２２ａ、２２ｂに開いて、該支持軸５にボール２の回動穴４を嵌め合せて図６（ａ）の用紙挟持具１が組立られる。
本実施例におけるストッパー２３は、図６（ｂ）に示すように筐体６の背面７から立ち上がった板部材に切欠部２７を備え、該切欠部２７で柔軟屈曲されるような加工形態を経て、先端の両側がボール２のディンプル３と逆転衝止２４されて逆転防止される構成である。
なお、本実施例を金型成形する場合は、ポリプロピレン（ＰＰ）やエラストマー等の幾分弾力性を帯びた素材で成形加工すると望ましい。
【００３４】
図７は、本発明の第２実施例に係るストッパー付き用紙挟持具１にローラ１８を用い、ストッパー付き筐体６全体を一体成形した他の実施例を示している。
本実施例における筐体６及びローラ１８等は、本質的には、前記第１実施例として図３とともに既述した構成に、前記図６の構成と同様な一体加工のストッパー２３付きとして構成した用紙挟持具１である。そして、図７（ａ）は本実施例の外観斜視図、図７（ｂ）は人工芝９とマグネット１０が上下面に貼着された筐体６を示しており、この第２実施例が組立られた構成態様は以上の実施例説明から充分明らかに理解し得るものと思われる。
なお、本実施例のようにローラ１８を樹脂素材で成形加工して用い、且つ、ストッパー２３付きとして実施する場合は、図７に示すようにローラ１８周縁部にスリット溝３０を加工形成したり、ローラ１８の周縁部を多角形状に加工成形したり、更には、弾力性のあるエラストマー素材で加工成形して用いると挟持機能とともに逆転衝止２４の作用効果が一層高められる。
図７（ｃ）にストッパー２３機構の他の変形した実施例を示す。このストッパー２３機構は、ローラ１８の一部に歯車２８を一体加工し、該歯車２８にストッパー２３を係合させる構成でボール２を逆転衝止２４するようにした構成のストッパー機構であり、ボール２を用いた転動体に適用することもできる。
【図面の簡単な説明】
【００３５】
【図１】本発明第１実施例に係る用紙挟持具の外観及び断面と構成部品態様を示す図である。
【図２】本発明第１実施例に係る用紙挟持具の使用態様を示す図である。
【図３】本発明第１実施例に係る用紙挟持具の他の実施例外観と構成部品態様を示す図である。
【図４】本発明第２実施例に係る用紙挟持具の外観及び断面とストッパー係合細部及び構成部品態様を示す図である。
【図５】本発明第２実施例に係る用紙挟持具の使用態様を示す図である。
【図６】本発明第２実施例に係る用紙挟持具の他の実施例外観と構成部品態様を示す図である。
【図７】本発明第２実施例に係る用紙挟持具の他の実施例外観と構成部品態様を示す図である。
【図８】特許文献１の特公昭５８−４４２３６号公報から引用した開示技術である。
【図９】特許文献２の実公昭４３−６４１９号公報から引用した開示技術である。
【図１０】特許文献３の特開２００４−１６０９５３号公報から引用した開示技術である。
【符号の説明】
【００３６】
１      用紙挟持具
２      ボール
３      ディンプル
４      回動穴
５      支持軸
６      筐体
７      背面
８      圧入穴
９      クション材（人工芝）
１０    マグネット
１４    着脱方向
１５    着脱時の回動方向
１７    挟持紙（メモ用紙等）
１８    ローラ
１９    回動軸
２０    アーム部
２１    軸支穴
２３    ストッパー
２４    逆転衝止
２９    圧接部
【図１】
2006076006.tif 000003
【図２】
2006076006.tif 000004
【図３】
2006076006.tif 000005
【図４】
2006076006.tif 000006
【図５】
2006076006.tif 000007
【図６】
2006076006.tif 000008
【図７】
2006076006.tif 000009
【図８】
2006076006.tif 000010
【図９】
2006076006.tif 000011
【図１０】
2006076006.tif 000012